【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
少なくとも１つの官能性末端を有するポロキサマー、少なくとも１つの官能性末端を有する逆ポロキサマー、少なくとも１つの官能性末端を有するポロキサミン、少なくとも１つの官能性末端を有する逆ポロキサミンおよびそれらの混合物からなる群より選択される少なくとも１種類の重合可能な界面活性剤を含む、重合されたコモノマー混合物、
を有してなる眼科用器具であって、
前記重合可能な界面活性剤が、重合前のコモノマー混合物中に１０重量％未満で存在することを特徴とする、
眼科用器具。
【請求項２】
前記眼科用器具がコンタクトレンズであることを特徴とする請求項１記載の眼科用器具。
【請求項３】
前記コンタクトレンズが硬質ガス透過性コンタクトレンズであることを特徴とする請求項２記載の眼科用器具
【請求項４】
前記レンズがソフトコンタクトレンズであることを特徴とする請求項２記載の眼科用器具。
【請求項５】
前記レンズがハイドロゲルコンタクトレンズであることを特徴とする請求項２記載の眼科用器具。
【請求項６】
前記レンズが眼内レンズであることを特徴とする請求項１記載の眼科用器具。
【請求項７】
前記レンズが有水晶体眼内レンズであることを特徴とする請求項６記載の眼科用器具。
【請求項８】
前記レンズが無水晶体眼内レンズであることを特徴とする請求項６記載の眼科用器具。
【請求項９】
前記器具が人工角膜であることを特徴とする請求項１記載の眼科用器具。
【請求項１０】
前記コモノマー混合物の一部として、有機ケイ素化合物をさらに含むことを特徴とする請求項１記載の眼科用器具。
【請求項１１】
前記ケイ素化合物が、シロキサニル（メタ）アクリレート、シロキサニル（メタ）アクリルアミド、シロキシニルビニルカーバメート、重合可能なシロキサンオリゴマーおよびマクロモノマー、ならびにそれらの混合物からなる群より選択されることを特徴とする請求項１０記載の眼科用装置。
【請求項１２】
前記モノマー混合物の一部として、架橋剤、内部湿潤剤、親水性モノマーおよび強化剤からなる群より選択される少なくとも１種類の材料をさらに含むことを特徴とする請求項１０記載の眼科用器具。
【請求項１３】
前記親水性のモノマーが、親水性のアクリル‐、メタクリル‐、イタコン‐、スチレン‐、アクリルアミド‐、メタクリルアミド‐、またはビニル基含有モノマー、およびそれらの混合物からなる群より選択されることを特徴とする請求項１２記載の眼科用器具。
【請求項１４】
前記親水性のモノマーが、以下の化学式で表されるアクリル基を含有するモノマーからなる群より選択されることを特徴とする請求項１３記載の眼科用器具：
【化１】
2008525847.tif 000001
ここで、Ｘは水素またはメチルであり、
Ｙは、--Ｏ--、--ＯＱ--、--ＮＨ--、--ＮＱ--および--ＮＨ（Ｑ）--であり、
Ｑはアルキルまたは置換されたアルキル基、およびそれらの混合物である。
【請求項１５】
前記ビニル基含有親水性モノマーが、Ｎ−ビニルラクタム、Ｎ-ビニルピロリドン、Ｎ−ビニル−Ｎ−メチルアセトアミド、Ｎ-ビニル−Ｎ−エチルアセトアミド、Ｎ−ビニル−Ｎ−エチルホルムアミド、Ｎ-ビニルホルムアミドおよびそれらの混合物からなる群より選択されることを特徴とする請求項１３記載の眼科用器具。
【請求項１６】
前記親水性モノマーが、Ｎ，Ｎ−ジメチルアクリルアミド、２−ヒドロキシエチルメタクリレート、グリセロールメタクリレート、２−ヒドロキシエチルメタクリルアミド、メタクリル酸、アクリル酸およびそれらの混合物からなる群より選択されることを特徴とする請求項１３記載の眼科用器具。
【請求項１７】
前記コモノマー混合物の一部として、エチレン性不飽和ポリオキシアルキレン、エチレン性不飽和ポリアクリルアミド、エチレン性不飽和ポリビニルピロリドン、エチレン性不飽和ポリビニルアルコール、エチレン性不飽和ポリ（ヒドロキシエチルメタクリレート）、エチレン性不飽和Ｎ-アルキル−Ｎ−ビニルアセトアミドおよびそれらの混合物からなる群より選択されるエチレン性の不飽和親水性モノマーをさらに含むことを特徴とする請求項１記載の眼科用器具。
【請求項１８】
前記エチレン性の不飽和が、（メタ）アクリレート、（メタ）アクリルアミド、スチレニル、アルケニル、ビニルカーボネート、ビニルカーバメート基およびそれらの混合物から選択される基によって提供されることを特徴とする請求項１７記載の眼科用器具。
【請求項１９】
疎水性のモノマーをさらに含むことを特徴とする請求項１記載の眼科用器具。
【請求項２０】
前記疎水性のモノマーが、アルキル（メタ）アクリレート、Ｎ−アルキル（メタ）アクリルアミド、アルキルビニルカーボネート、アルキルビニルカーバメート、フルオロアルキル（メタ）アクリレート、Ｎ−フルオロアルキル（メタ）アクリルアミド、Ｎ−フルオロアルキルビニルカーボネート、Ｎ−フルオロアルキルビニルカーバメート；シリコーン含有（メタ）アクリレート、（メタ）アクリルアミド、ビニルカーボネート、ビニルカーバメート；スチレン、α‐メチルスチレン、ｐ‐メチルスチレン、ｐ-ｔ‐ブチルモノクロロスチレン、およびｐ‐ｔ‐ブチルジクロロスチレンなどのスチレンモノマー；およびポリオキシプロピレン（メタ）アクリレート、メチルメタクリレート、ドデシルメタクリレート、オクタフルオロペンチルメタクリレート、ペルフルオロオクチルメタクリレート、メタクリオイルオキシプロピルトリス（トリメチルシロキシ）シラン（ＴＲＩＳ）およびそれらの混合物からなる群より選択されることを特徴とする請求項１９記載の眼科用器具。
【請求項２１】
過酸化アセチル、過酸化ラウロイル、過酸化デカノイル、過酸化ステアロイル、過酸化ベンゾイル、ｔ−ブチルパーオキシピバレート、パーオキシジカーボネートおよびそれらの混合物などの有機過酸化物からなる群より選択されるフリーラジカル熱重合開始剤をさらに含むことを特徴とする請求項１記載の眼科用器具。
【請求項２２】
ＵＶ開始剤をさらに含むことを特徴とする請求項１記載の眼科用器具。
【請求項２３】
少なくとも１つの官能性末端を有するポロキサマー、少なくとも１つの官能性末端を有する逆ポロキサマー、少なくとも１つの官能性末端を有するポロキサミン、少なくとも１つの官能性末端を有する逆ポロキサミンおよびそれらの混合物からなる群より選択される少なくとも１種類以上の重合可能な界面活性剤を含むコモノマー混合物を有してなる重合可能な混合物を提供し、ここで、前記重合可能な界面活性剤が、重合前のコモノマー混合物中に、１０重量％未満で存在し、
該重合可能な混合物を重合条件下に供し、
該重合可能な混合物を所望の形態の眼科用器具に成形する、
各工程を有してなる眼科用器具の成形方法。
【請求項２４】
前記成形工程が、前記重合可能な混合物を重合条件下に供した後に行われることを特徴とする請求項２３記載の方法。
【請求項２５】
前記成形工程が、切削、旋盤、研磨およびそれらの組合せからなることを特徴とする請求項２３記載の方法。
【請求項２６】
前記重合可能な混合物を重合条件下に供するより前に、
少なくとも１つの官能性末端を有するポロキサマー、少なくとも１つの官能性末端を有する逆ポロキサマー、少なくとも１つの官能性末端を有するポロキサミン、少なくとも１つの官能性末端を有する逆ポロキサミンおよびそれらの混合物からなる群より選択される少なくとも１種類の重合可能な界面活性剤を含むコモノマー混合物を含む、
重合可能な混合物を鋳型に打込みする工程をさらに含むことを特徴とする請求項２３記載の方法。
【請求項２７】
前記重合工程がスピン成形および静的成形からなる群より選択される鋳型で行われることを特徴とする請求項２６記載の方法。
【請求項２８】
前記重合工程が適切な鋳型もしくは容器内で行われ、ボタン状、板状もしくは棒状に成形することを特徴とする請求項２３記載の方法。
【請求項２９】
前記重合した混合物を水和する工程をさらに含むことを特徴とする請求項２３記載の方法。
【請求項３０】
前記成形された眼科用器具が、硬質ガス透過性コンタクトレンズ、ソフトコンタクトレンズ、眼内レンズ、有水晶体眼内レンズ、無水晶体眼内レンズおよび人工角膜からなる群より選択されることを特徴とする請求項２３記載の方法。